(57)【要約】【課題】本発明の課題は、空調機の能力を自動的に分析できる装置又は方法を提供することである。【解決手段】空調機管理装置１００は、複数の空調機３０を管理する空調機管理装置であって、設定温度取得部１２、室温取得部１３、到達時間演算部１５及び格納部２５を備える。設定温度取得部１２は、所定時における各空調機の設定温度を取得する。室温取得部１３は、空調機が設置された室内の室温を取得する。到達時間演算部１５は、室温が設定温度に到達するまでの時間を演算する。格納部２５は、演算した到達時間を格納する。【選択図】図２
2010038471.tif 000002
【特許請求の範囲】
【請求項１】
複数の空調機（３０）を管理する空調機管理装置（１００，２２０）であって、
所定時における各空調機の設定温度を取得する設定温度取得部（１２，２１２）と、
前記空調機が設置された室内の室温を取得する室温取得部（１３，２１３）と、
前記室温が前記設定温度に到達するまでの時間を演算する到達時間演算部（１５，２１５）と、
前記演算した到達時間を格納する格納部（２５，２２５）と、
を備える、空調機管理装置。
【請求項２】
更に、格納した複数の前記到達時間から、統計到達時間を演算する統計到達時間演算部（２２，２２２）を備える、請求項１に記載の空調機管理装置。
【請求項３】
更に、前記空調機（３０）の前記統計到達時間をグラフで出力する出力部（２３，２８，２２３，２２８）を備える、請求項２に記載の空調機管理装置。
【請求項４】
前記出力部（２３，２８，２２３，２２８）は、前記空調機（３０）の前記統計到達時間を、所定期間毎にグラフで出力する、請求項３に記載の空調機管理装置。
【請求項５】
前記出力部（２３，２８，２２３，２２８）は、前記空調機（３０）の前記統計到達時間を、前記空調機（３０）の設置された場所毎にグラフで出力する、請求項３に記載の空調機管理装置。
【請求項６】
前記設定温度取得部（１２）と前記室温取得部（１３）と前記到達時間演算部（１５）とは第１機器（１０）に設けられ、
前記格納部（２５）と前記統計到達時間演算部（２２）と前記出力部（２３，２８）とは第２機器（２０）に設けられ、
前記第１機器と前記第２機器とは外部ネットワーク（５０）を介して通信可能である、
請求項３に記載の空調機管理装置。
【請求項７】
複数の空調機（３０）を管理する空調機管理方法であって、
所定時における各空調機の設定温度を取得する設定温度取得ステップと、
前記空調機が設置された室内の室温を取得する室温取得ステップと、
前記室温が前記設定温度に到達するまでの時間を演算する到達時間演算ステップと、
前記演算した到達時間を格納する格納ステップと、
格納した複数の前記到達時間から、統計到達時間を演算する統計到達時間演算ステップと、
前記統計到達時間を出力する出力ステップと、
を備える、空調機管理方法。
【発明の詳細な説明】
【技術分野】
【０００１】
本発明は、空調機を監視、制御する空調機管理装置及び空調機管理方法に関する。
【背景技術】
【０００２】
従来、インターネット等の外部ネットワークを介して遠隔より空調機を監視・制御することが行われている。このような空調機の管理システムでは、施設等に空調機と共に設置された空調制御コントローラ等により蓄積される運転データを遠隔のセンターで集約し、省エネ診断などの分析に用いる技術が注目されている。
【０００３】
コントローラに蓄積される運転データを分析し、適切な運転開始時間を計算したりや適切な設定温度にする等の自動制御により、空調機の利用者の快適性や省エネ性を担保した空調機制御を行うことが知られている。
【特許文献１】特開平１０−６１９９５号公報
【発明の開示】
【発明が解決しようとする課題】
【０００４】
しかし、空調機に関わる問題としては、制御だけでなく、空調機自体の能力がある。空調機は、設置される環境や使用状況により能力の過不足が生じるため、制御の最適化だけでは限界がある場合には、適切な空調機への取替え、すなわち更新の必要も出てくるからである。
【０００５】
そこで本発明の課題は、空調機の能力を自動的に分析する装置又は方法を提供することである。
【課題を解決するための手段】
【０００６】
第１発明に係る空調機管理装置は、複数の空調機を管理する空調機管理装置であって、設定温度取得部と、室温取得部と、到達時間演算部と、格納部と、を備える。設定温度取得部は、所定時における各空調機の設定温度を取得する。室温取得部は、空調機が設置された室内の室温を取得する。到達時間演算部は、室温が設定温度に到達するまでの時間を演算する。格納部は、演算した到達時間を格納する。
【０００７】
ここでは、各空調機の到達時間を演算することで、空調機の能力の過不足を分析することができる。
【０００８】
第２発明に係る空調機管理装置は、第１発明に係る空調機管理装置であって、更に、格納した複数の到達時間から、統計到達時間を演算する統計到達時間演算部を備える。ここで、統計到達時間とは、各空調機の設定温度到達時間の属性を統計的演算により算出した値を意味し、平均値や中央値等を含む。
【０００９】
ここでは、統計到達時間を演算することにより、空調機の能力の過不足を統計的に分析することができる。
【００１０】
第３発明に係る空調機管理装置は、第２発明に係る空調機管理装置であって、空調機の統計到達時間をグラフで出力する出力部を備える。
【００１１】
第４発明に係る空調機管理装置は、第３発明に係る空調機管理装置であって、出力部は、空調機の統計到達時間を所定期間毎にグラフで出力する。
【００１２】
第５発明に係る空調機管理装置は、第３発明に係る空調機管理装置であって、出力部は、空調機の統計到達時間を、空調機の設置された場所毎にグラフで出力する。ここで、空調機の設置された場所とは、設置された部屋、建物、施設、地域等を含む。
【００１３】
ここでは、複数の場所で使用される同一タイプの空調機の統計到達時間を取得することで、空調機の能力の過不足に加えて、使用環境等による影響も分析することができる。
【００１４】
第６発明に係る空調機管理装置は、第３発明に係る空調機管理装置であって、設定温度取得部と室温取得部と到達時間演算部とは第１機器に設けられ、格納部と統計到達時間演算部と出力部とは第２機器に設けられている。更に、第１機器と第２機器とは外部ネットワークを介して通信可能である。
【００１５】
第７発明に係る空調機管理方法は、複数の空調機を管理する空調機管理方法であって、設定温度取得ステップと、室温取得ステップと、到達時間演算ステップと、格納ステップと、統計到達時間演算ステップと、出力ステップと、を備える。設定温度取得ステップでは、所定時における各空調機の設定温度を取得する。室温取得ステップでは、空調機が設置された室内の室温を取得する。到達時間演算ステップでは、室温が設定温度に到達するまでの時間を演算する。格納ステップでは、演算した到達時間を格納する。統計到達時間演算ステップでは、格納した複数の到達時間から、統計到達時間を演算する。出力ステップでは、統計到達時間を出力する。
【発明の効果】
【００１６】
本発明によれば、空調機の能力の過不足を自動的に分析できる。
【発明を実施するための最良の形態】
【００１７】
１．第一実施形態
１．１．空調機管理装置の全体構成
図１は、本発明の第一実施形態に係る空調機管理装置１００の全体構成を概略的に示す。空調機管理装置１００は、空調機３０の運転開始から室温が設定温度に到達する時間やその平均到達時間を演算し、その結果をグラフとして出力する。空調機管理装置１００は、空調機３０が設置された施設１に配されるコントローラ１０と、同コントローラ１０と通信可能に遠隔に設置された管理サーバー２０とを備える。
【００１８】
施設１には、コントローラ１０と、同コントローラ１０に空調用通信線４０で接続された複数の空調機３０とが配されている。コントローラ１０は、更に外部ネットワークであるインターネット５０を介して、遠隔の管理センター２に配された管理サーバー２０と通信可能に設置されている。
【００１９】
１．２．コントローラ
図２は、本実施形態に係るコントローラ１０の概略的構成を示す。コントローラ１０は、各空調機３０の設定温度と室温とを取得し、室温が設定温度に到達する到達時間を演算し、管理装置に送信する。なお、この到達時間とは、冷房運転の場合は室温が設定温度まで下がることを意味し、暖房運転の場合は設定温度まで上がることを意味する。コントローラ１０は、通信部１１と、設定温度取得部１２と、室温取得部１３と、温度差演算部１４と、到達時間演算部１５と、空調制御部１６と、入力部１７と、表示部１８と、記憶部Ｍとを有する。
【００２０】
通信部１１は、ルーター等の所定のネットワーク機器を介してインターネット５０と接続されると共に、空調機３０の運転データを、空調用通信線４０を介して受信する。運転データとは、例えば、空調機３０の運転／停止、設定温度、消費電力等である。通信部１１はまた、空調用通信線４０や施設１のＬＡＮ等の内部ネットワーク（図示省略）を介して、空調機３０が設置された場所の室温を取得する。この室温は、各空調機３０に設けられた温度センサーにより取得される吸込温度であってもよいし、別途室内に設置された温度計測機器により取得された温度であってもよい。取得された運転データは記憶部Ｍの所定の場所に格納される。
【００２１】
設定温度取得部１２は、運転データのうち設定温度をその測定時刻と共に取得する。なお、この取得する設定温度は、例えば、午前の始業時刻等の所定時刻における設定温度であってもよいし、空調機３０の運転開始時としてもよい。また、この設定温度は、通信部１１を介してリアルタイムで取得されてもよいし、記憶部Ｍに予め格納された運転データから取得してもよい。室温取得部１３は、設定温度の取得後、室温をその測定時刻と共に所定間隔で取得し、取得した室温が設定温度に到達したかどうかを判断する。なお、この取得する室温はリアルタイムで取得してもよいし、記憶部Ｍに予め格納された運転データから取得してもよい。温度差演算部１４は、設定温度取得部１２が取得した設定温度と室温取得部１３が最初に取得した室温との差を演算する。演算された温度差は、到達時間と共に管理サーバー２０に送信される。
【００２２】
到達時間演算部１５は、取得した室温が設定温度に到達するまでの時間を演算する。具体的には、設定温度に到達した室温の測定時刻と、その設定温度の測定時刻との差を演算する。演算された到達時間は、対応する温度差と共に通信部１１を介して管理サーバー２０に送信される。空調制御部１６は、入力部１７或いは管理サーバー２０からの制御指令を受信し、同制御指令に応じて空調機３０を制御する。入力部１７は、利用者の操作により空調機３０に対する制御指令等を受け付ける。表示部１８は、利用者の操作により空調機３０に対する制御指令結果等を表示する。
【００２３】
コントローラ１０は、例えば次のような構成を有するコンピュータである。通信部１１は、空調用通信線４０をコントローラ１０に接続するためのインターフェース機器や内部ネットワークに接続するためのＬＡＮカードやＬＡＮボード等である。設定温度取得部１２、室温取得部１３、温度差演算部１４、及び到達時間演算部１５は、記憶部Ｍに格納された到達時間演算用プログラムＰ１を読み込んで演算・制御を実行するＣＰＵ等の制御部Ｃにより実現される。空調制御部１６は、記憶部Ｍに格納された空調制御用のプログラム（図示省略）を読み込んで演算・制御を実行するＣＰＵ等の制御部Ｃにより実現される。記憶部Ｍは、ＲＡＭやＲＯＭ等の内部メモリや、ハードディスク等の外部メモリにより実現される。入力部１７はキーボードやマウス等により実現され、表示部１８は液晶等のディスプレイにより実現される。なお、既述のコントローラ１０の構成は一例であり、本発明は上記構成に限定されない。
【００２４】
１．３．管理サーバー
図３は、本実施形態に係る管理サーバー２０の概略的構成を示す。管理サーバー２０は、インターネット５０を介して送信されてくる各空調機３０の設定温度到達時間を格納し、同到達時間から平均到達時間を演算し、グラフで出力する。管理サーバー２０は、通信部２１と、平均到達時間演算部２２と、グラフ出力部２３と、到達時間格納部２５と、平均到達時間格納部２６と、入力部２７と、表示部２８と、を有する。
【００２５】
通信部２１は、ＬＡＮ等の管理センター２の内部ネットワーク及びルーター等の所定のネットワーク機器を介してインターネット５０と接続される。平均到達時間演算部２２は、後述するように、各空調機３０について、平均到達時間格納部２６に格納された複数の到達時間の平均値を演算する。グラフ出力部２３は、演算された平均到達時間を後述するようにグラフで出力する。
【００２６】
記憶部Ｍは、平均到達時間演算・グラフ出力用のプログラムＰ２を格納する。記憶部Ｍはまた、受信された到達時間を格納し蓄積する到達時間格納部２５と、演算された平均到達時間を格納する平均到達時間格納部２６とを有する。
【００２７】
図４に示すように、到達時間格納部２５は、到達時間の他に、施設の識別情報、空調機３０の識別情報、設置場所の識別情報を含み、それらの識別情報毎に少なくとも次の情報を含む。測定年月日は設定温度を測定した年月日である。測定基準時刻は、設定温度を測定した時刻である。なお、空調機３０間の比較分析のため、この時刻は一定の時刻であることが望ましい。温度差は、設定温度取得部１２が取得した設定温度と室温取得部１３が最初に取得した室温との温度差である。到達時間は、測定基準時刻後最初に測定された室温が設定温度に到達するまでの時間である。
【００２８】
入力部２７は、人の操作によりグラフ出力指令等を受け付ける。表示部２８は、空調機３０に対するグラフ出力等の指令結果を表示する。
【００２９】
管理サーバー２０は、例えば次のような構成を有するコンピュータである。通信部２１は、管理センター２内の内部ネットワークに接続するためのＬＡＮカードやＬＡＮボード等である。平均到達時間演算部２２及びグラフ出力部２３は、記憶部Ｍに格納された平均到達時間演算用プログラムＰ２を読み込んで演算・制御を実行するＣＰＵ等の制御部Ｃにより実現される。記憶部Ｍは、ＲＡＭやＲＯＭ等の内部メモリや、ハードディスク等の外部メモリにより実現される。入力部２７はキーボードやマウス等により実現され、表示部２８は、液晶等のディスプレイにより実現される。なお、既述のコントローラ１０の構成は一例であり、本発明は上記構成に限定されない。
【００３０】
１．３．１．平均到達時間の演算
平均到達時間演算部２２は、平均到達時間演算・グラフ出力用のプログラムＰ２に従い、次の式により平均到達時間を演算する。
【００３１】
【数１】
2010038471.tif 000003
【００３２】
ただし、Δt[℃]=｜室温−設定温度｜とし、Ｔ[Δt]は、Δtのときの到達時間とする。また、１≦Δｔ≦３０とし、小数部は切捨てる。また、Ｔ[Δt]にばらつきがあるとき、すなわち同じ温度差Δｔで到達時間Ｔが異なるときは、その平均値をＴ[Δt]とする。
【００３３】
各空調機３０について月毎等に到達時間を集計し、平均到達時間を演算する。なお、上記平均値演算の数式は一例であり、本発明は上記構成に限定されない。
【００３４】
１．４．空調機
空調機３０は、例えば、個別空調方式の室内機、室外機や、セントラル空調方式による大型空調機である。空調機３０は、コントローラ１０の空調制御部１６から送信される制御指令により、運転／停止、サーモＯＮ／ＯＦＦ、設定温度の変更、風量調整等が行われる。
【００３５】
１．５．処理の流れ
図５及び図６を参照しながら、本実施形態に係る空調機管理装置１００の処理の流れを説明する。
【００３６】
１．５．１．到達時間演算処理
図５は、各空調機３０の設定温度到達時間を演算し、管理サーバー２０の到達時間格納部２５に格納されるまでの処理を示す。なお、この処理は制御部Ｃが記憶部ＭのプログラムＰ１を読み込むことにより行われる。
【００３７】
Ｓ１０１：コントローラ１０の設定温度取得部１２は設定温度及びその測定時刻を取得する。なお、この設定温度は、通信部１１を介してリアルタイムで取得されていてもよいし、記憶部Ｍに予め格納された測定基準時刻における設定温度を取得してもよい。
【００３８】
Ｓ１０２：コントローラ１０の室温取得部１３は、室温及びその測定時刻を取得する。なお、この室温は、通信部１１を介してリアルタイムで取得されていてもよいし、記憶部Ｍに予め格納された測定基準時刻又はその直近の時刻における室温を取得してもよい。
【００３９】
Ｓ１０３：コントローラ１０の温度差演算部１４は、設定温度と取得した室温との温度差を演算し、記憶部Ｍの所定の場所に格納する。
【００４０】
Ｓ１０４：次に、室温取得部１３は、取得した室温が設定温度に到達しているかどうかを判断する。到達していない場合はＳ１０５ステップに進み、到達した場合は、Ｓ１０６ステップに進む。なお、室温取得部１３の判断においては、取得した室温が設定温度丁度になる必要なく、例えば設定温度±１℃未満の範囲内に到達したかどうかを判断するようにしてもよい。
【００４１】
Ｓ１０５：コントローラ１０の室温取得部１３は、所定時間後新たに室温及びその測定時刻を取得し、Ｓ１０４ステップに戻る。
【００４２】
Ｓ１０６：コントローラ１０の到達時間演算部１５は、室温が設定温度に到達するまでの時間を演算する。
【００４３】
Ｓ１０７：コントローラの制御部Ｃは、演算した到達時間及び温度差を通信部１１及びインターネット５０を介して管理サーバー２０に送信する。
【００４４】
Ｓ１０８：管理サーバー２０の制御部Ｃは、通信部２１を介して受信した到達時間及び温度差を到達時間格納部２５に格納する。
【００４５】
なお、上記処理の流れは一例であって本発明は上記に限定されるものではない。
【００４６】
１．５．２．平均到達時間出力処理
図６は、平均到達時間の演算からグラフを出力するまでの処理を示す。なお、この処理は制御部Ｃが記憶部Ｍの平均到達時間演算・グラフ出力用プログラムＰ２を読み込むことにより開始する。
【００４７】
Ｓ２０１：管理サーバー２０の入力部２７は、グラフの出力要求を受け付ける。
【００４８】
Ｓ２０２：管理サーバー２０の平均到達時間演算部２２は、到達時間格納部２５のデータを順次読み出す。
【００４９】
Ｓ２０３：管理サーバー２０の平均到達時間演算部２２は、上述のように、各空調機３０について所定日数分（例えば、１ヶ月分）の到達時間の平均値を演算する。演算された平均到達時間は平均到達時間格納部２６に格納される。
【００５０】
Ｓ２０４：管理サーバー２０のグラフ出力部２３は、演算された平均到達時間を空調機３０毎にグラフ出力する。
【００５１】
なお、上記処理の流れは一例であって本発明は上記に限定されるものではない。
【００５２】
１．６．出力例
図７及び図８は、上記処理によるグラフの出力例を示す。図７は、社長室における空調機３０の平均到達時間を、月毎に演算し、出力したグラフである。このグラフから、社長室における空調機３０が、特に室温と設定温度の差が大きい１月及び２月及び７月において能力が不足気味になることが分かる。また、他の設置場所の空調機３０についても同様のグラフを出力し、比較することで、各設置場所に対する空調機３０の能力の過不足の分析や予冷・余熱時間の計算をすることができる。図８は、更に、各設置場所における平均到達時間の月毎のワーストランキングをグラフ表示している。同図によれば、社長室の空調機３０が最も能力が不足していることが分かる。
【００５３】
これらの分析結果から、空調機３０の更新時に、各設置場所にどの程度の能力を有する空調機３０が必要かを分析することが可能となる。なお、上記出力例は一部であって本発明のグラフ出力は上記に限定されるものではない。
【００５４】
１．７．本実施形態の効果
本実施形態に係る空調機管理装置１００によれば、定期的に収集される運転データを利用して各空調機３０の設定温度到達時間とその平均到達時間を自動的に演算してグラフ出力するため、各空調機３０の設置場所における能力の過不足を統計的に分析できる。これにより、空調機３０の更新時にどの程度の能力の空調機３０が必要となるかを把握することができる。
【００５５】
さらに、各空調機３０についての平均到達時間から、予冷、予熱時間を把握し、運転制御に反映させることが可能となる。
【００５６】
また、複数の場所で使用される同一タイプの空調機３０の到達時間を取得し、比較することで、使用環境や設置環境等の外的な影響も分析することができる。
【００５７】
２．第二実施形態
２．１．全体構成
図９は、本発明の第二実施形態に係る空調機管理装置を含むシステムの全体構成を概略的に示す。なお、第一実施形態と同様の構成や機能については同一の符合を付している。本実施形態は、施設１内にコントローラを配さず、コントローラの機能を遠隔の管理サーバー２２０に集約している点、及び空調制御部は各空調機３０の内部に配されている点において第一実施形態の空調機管理装置１００とは異なる。
【００５８】
施設１では、空調機３０が空調用通信線２４０で接続されている。各空調機３０は、その内部に、通信機能と空調制御機能を兼ねたアダプタ装置（図示省略）有する。アダプタ装置は、空調用通信線４０及び外部ネットワークであるインターネット５０を介して、遠隔にある管理センター２に配された空調機管理装置としての管理サーバー２２０と通信可能である。各空調機３０はアダプタ装置を介して、設定温度及び室温を含む運転データを管理サーバー２２０に送信する。
【００５９】
２．２．管理サーバー
図１０は、本実施形態に係る管理サーバー２２０の概略構成を示す。管理サーバー２２０は、インターネット５０を介して送信されてくる各空調機３０の設定温度と室温から、設定温度到達時間を演算し、平均到達時間を演算し、グラフで出力する空調機管理装置である。管理サーバー２２０は、通信部２２１と、設定温度取得部２１２と、室温取得部２１３と、温度差演算部２１４と、到達時間演算部２１５と、平均到達時間演算部２２２と、グラフ出力部２２３と、到達時間格納部２２５と、平均到達時間格納部２２６と、入力部２２７と、表示部２２８と、を有する。
【００６０】
通信部２２１は、ルーター等の所定のネットワーク機器及びＬＡＮ等の管理センター２の内部ネットワークを介してインターネット５０と接続される。通信部２２１は、インターネット５０を介して空調機３０の運転データを取得し、記憶部Ｍの所定の場所に格納する。設定温度取得部２１２は、運転データのうち設定温度をその測定時刻と共に取得する。なお、この取得する設定温度は、例えば、午前の始業時刻等の所定時刻における設定温度であってもよいし、空調機３０が運転開始時としてもよい。また、この設定温度は、通信部２２１を介してリアルタイムで取得されていてもよいし、記憶部Ｍに予め格納された運転データから取得してもよい。室温取得部２１３は、設定温度の取得後、室温をその測定時刻と共に所定間隔で取得し、取得した室温が設定温度に到達したかどうかを判断する。なお、室温の取得はリアルタイムで取得してもよいし、記憶部Ｍに予め格納された格納された運転データから取得してもよい。温度差演算部２１４は、設定温度取得部２１２が取得した設定温度と室温取得部２１３が最初に取得した室温との差を演算する。
【００６１】
到達時間演算部２１５は、取得した室温が設定温度に到達するまでの時間を演算する。平均到達時間演算部２２２は、第一実施形態と同様に、平均到達時間格納部２２６に格納された複数の到達時間の平均値を演算する。グラフ出力部２２３は、演算された平均到達時間を第一実施形態と同様にグラフで出力する。
【００６２】
記憶部Ｍは、到達時間演算・平均到達時間演算・グラフ出力用のプログラムＰを格納する。記憶部Ｍはまた、到達時間を格納し蓄積する到達時間格納部２２５と、演算された平均到達時間を格納する平均到達時間格納部２２６とを有する。到達時間格納部２２５は、第一実施形態の図４と同様の内容を含む。
【００６３】
入力部２２７は、人の操作によりグラフ出力指令等を受け付ける。表示部２２８は、空調機３０に対するグラフ出力等の指令結果を表示する。
【００６４】
管理サーバー２２０は、例えば次のような構成を有するコンピュータである。通信部２２１は、管理センター２内の内部ネットワークに接続するためのＬＡＮカードやＬＡＮボード等である。設定温度取得部２１２と、室温取得部２１３と、温度差演算部２１４と、到達時間演算部２１５と、平均到達時間演算部２２２と、グラフ出力部２２３は、記憶部Ｍに格納されたプログラムＰを読み込んで演算・制御を実行するＣＰＵ等の制御部Ｃにより実現される。記憶部Ｍは、ＲＡＭやＲＯＭ等の内部メモリや、ハードディスク等の外部メモリにより実現される。入力部２２７はキーボードやマウス等により実現され、表示部２２８は、液晶等のディスプレイにより実現される。
【００６５】
２．３．その他構成及び処理
その他の空調機管理装置としての管理サーバー２２０の構成及び機能は、第一実施形態に係る空調機管理装置１００の構成及び機能と同様である。
２．４．本実施形態の効果
本実施形態に係る管理サーバー２２０によれば、第一実施形態に係る空調機管理装置１００による効果に加え、施設１にコントローラを設置しなくてもよく到達時間の演算処理も管理サーバー２２０側で行うため、ローカルネットワークの処理負担を軽減できると共に、コントローラの設定やメンテナンスも軽減できる。
【００６６】
３．変形例
３．１．
上記実施形態の空調機管理装置１００，２２０の処理においては、平均到達時間を演算しているが、本発明はこれに限定されない。例えば各月における平均的な運転日時を予め選択しておき、その日時における空調機３０の設定温度到達時間を演算し、それをグラフ出力してもよい。
【００６７】
３．２．
上記実施形態の空調機管理装置１００，２２０の処理においては、統計到達時間として平均到達時間を演算しているが、本発明はこれに限定されない。例えば中央値や調整平均値を用いてもよい。中央値とは、例えば、集計したデータの中から温度差に対する到達時間を大小順に並べ、その中央値（又はその中央値二つの平均）を統計到達時間とする。調整平均値は、集計したデータの中から温度差に対する到達時間を大小順に並べ、その上位及び下位のデータを切り捨てた上で平均値を求める。このように統計到達時間に中央値や調整平均値を用いることで、演算される統計到達時間は、例えば特別な気象条件や使用環境による到達時間の極端な変化を除外することができる。
【００６８】
３．３．
上記実施形態による空調機管理装置１００，２２０による処理においては、同処理の実行中に設定温度が利用者の操作等により変更された場合、到達時間の取得を中止するようにしてもよい。また、設定温度取得部１２，２１２が取得した設定温度と室温取得部１３，２１３が最初に取得した室温との差が１℃未満の場合や異常値（例えば３０℃を越える場合）についてもと到達時間の取得を中止するようにしてもよい。
【００６９】
３．４．
上記実施形態による管理サーバー２０，２２０は、ＷＷＷサーバーとして機能してもよい。管理サーバー２０，２２０は、例えばブラウザを有する携帯電話やコントローラ１０等の通信機器より管理サーバー２０，２２０のＷｅｂページに対しアクセスを受け、入力操作により上記グラフ等の情報を見られるようにしてもよい。
【００７０】
３．５．
上記実施形態の空調用通信線４０，２４０は、施設１のＬＡＮ等の内部ネットワークであってもよい。
【産業上の利用可能性】
【００７１】
本発明は、特に、空調機の能力を自動的に分析できる装置又は方法として有用である。
【図面の簡単な説明】
【００７２】
【図１】本発明の第一実施形態に係る空調機管理装置の全体構成図
【図２】同実施形態に係るコントローラの概略構成図
【図３】同実施形態に係る管理サーバーの概略構成図
【図４】同実施形態に係る到達時間格納部の内容を示す図
【図５】同実施形態に係る空調機管理装置の処理の流れを示すフローチャート
【図６】同実施形態に係る空調機管理装置の処理の流れを示すフローチャート
【図７】同実施形態に係る空調機管理装置の処理結果であるグラフ出力の一例を示す図
【図８】同実施形態に係る空調機管理装置の処理結果であるグラフ出力の他の例を示す図
【図９】本発明の第二実施形態に係る空調機管理装置を含むシステムの全体構成図
【図１０】同実施形態に係る管理サーバーの概略構成図
【符号の説明】
【００７３】
１            施設
２            遠隔管理センター
１０          コントローラ（第１機器）
１１          通信部
１２          設定温度取得部
１３          室温取得部
１４          温度差演算部
１５          到達時間演算部
１６          空調制御部
１７          入力部
１８          表示部
２０          管理サーバー（第２機器）
２１          通信部
２２          平均到達時間演算部
２３          グラフ出力部
２５          到達時間格納部（格納部）
２６          平均到達時間格納部
２７          入力部
２８          表示部
３０          空調機
４０          空調用通信線
５０          インターネット（外部ネットワーク）
１００        空調機管理装置
２１２        設定温度取得部
２１３        室温取得部
２１４        温度差演算部
２１５        到達時間演算部
２２０        管理サーバー（空調機管理装置）
２２１        通信部
２２２        平均到達時間演算部
２２３        グラフ出力部
２２５        到達時間格納部（格納部）
２２６        平均到達時間格納部
２２７        入力部
２２８        表示部
２４０        空調用通信線
Ｃ            制御部
Ｍ            記憶部
Ｐ            プログラム
Ｐ１          プログラム
Ｐ２          プログラム
【図１】
2010038471.tif 000004
【図２】
2010038471.tif 000005
【図３】
2010038471.tif 000006
【図４】
2010038471.tif 000007
【図５】
2010038471.tif 000008
【図６】
2010038471.tif 000009
【図７】
2010038471.tif 000010
【図８】
2010038471.tif 000011
【図９】
2010038471.tif 000012
【図１０】
2010038471.tif 000013